【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上であり、
植物由来の材料は、葦である多孔質炭素材料。
【請求項２】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上であり、
植物由来の材料は、茎ワカメである多孔質炭素材料。
【請求項３】
マグネシウムの含有率が０．０１重量％以上３重量％以下、カリウムの含有率が０．０１重量％以上３重量％以下、カルシウムの含有率が０．０５重量％以上３重量％以下である請求項１又は請求項２に記載の多孔質炭素材料。
【請求項４】
窒素ＢＥＴ法による比表面積の値が１０ｍ2／グラム以上、ＢＪＨ法及びＭＰ法による細孔の容積が０．１ｃｍ3／グラム以上である多孔質炭素材料の製造方法であって、
植物由来の材料を８００゜Ｃ乃至１４００゜Ｃにて炭素化した後、酸又はアルカリで処理する多孔質炭素材料の製造方法。
【請求項５】
酸又はアルカリでの処理によって、炭素化後の植物由来の材料中のケイ素成分を除去する請求項４に記載の多孔質炭素材料の製造方法。
【請求項６】
ケイ素の含有率が５重量％以上である植物由来の材料を原料とし、酸又はアルカリで処理することで、ケイ素の含有率を１重量％以下とする請求項４又は請求項５に記載の多孔質炭素材料の製造方法。
【請求項７】
酸又はアルカリは、炭素化後の植物由来の材料中のケイ素成分を除去することができるものである請求項４乃至請求項６のいずれか１項に記載の多孔質炭素材料の製造方法。
【請求項８】
酸又はアルカリでの処理の後、賦活処理を施す請求項４乃至請求項７のいずれか１項に記載の多孔質炭素材料の製造方法。
【請求項９】
植物由来の材料を炭素化する前に、炭素化のための温度よりも低い温度にて、酸素を遮断した状態で植物由来の材料に加熱処理を施す請求項４乃至請求項８のいずれか１項に記載の多孔質炭素材料の製造方法。
【請求項１０】
植物由来の材料を炭素化する前に、植物由来の材料をアルコールに浸漬する請求項４乃至請求項８のいずれか１項に記載の多孔質炭素材料の製造方法。
【請求項１１】
多孔質炭素材料におけるマグネシウムの含有率が０．０１重量％以上３重量％以下、カリウムの含有率が０．０１重量％以上３重量％以下、カルシウムの含有率が０．０５重量％以上３重量％以下である請求項４乃至請求項１０のいずれか１項に記載の多孔質炭素材料の製造方法。
【請求項１２】
植物由来の材料は、葦である請求項４乃至請求項１１のいずれか１項に記載の多孔質炭素材料の製造方法。
【請求項１３】
植物由来の材料は、茎ワカメである請求項４乃至請求項１１のいずれか１項に記載の多孔質炭素材料の製造方法。
【請求項１４】
植物由来の材料は、籾殻である請求項４乃至請求項１１のいずれか１項に記載の多孔質炭素材料の製造方法。
【請求項１５】
植物由来の材料は、藁である請求項４乃至請求項１１のいずれか１項に記載の多孔質炭素材料の製造方法。
【請求項１６】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成り、クレアチニンを吸着する吸着剤。
【請求項１７】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成り、アリザリンシアニングリーンを吸着する吸着剤。
【請求項１８】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成り、リゾチームを吸着する吸着剤。
【請求項１９】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成り、アルブミンを吸着する吸着剤。
【請求項２０】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成り、数平均分子量が１×１０3乃至１×１０4の有機物を吸着する吸着剤。
【請求項２１】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成る吸着剤を備えたマスク。
【請求項２２】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成るシート状部材、並びに、シート状部材を支持する支持部材から成る吸着シート。
【請求項２３】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法及びＭＰ法による細孔の容積が０．１ｃｍ3／グラム以上である多孔質炭素材料から成る、薬剤を担持するための担持体。
【手続補正２】
【補正対象書類名】明細書
【補正対象項目名】００２３
【補正方法】変更
【補正の内容】
【００２３】
本発明における多孔質炭素材料を、体内の様々な不要な分子を選択的に吸着するために用いることができる。即ち、本発明における多孔質炭素材料を、疾患の治療及び予防に有用な医薬内服薬等の経口投与吸着剤あるいは医療用吸着剤として用いることができる。具体的には、本発明における多孔質炭素材料を経口投与吸着剤あるいは医療用吸着剤の分野に適用する場合、本発明の吸着剤として、例えば、本発明における多孔質炭素材料から成り、クレアチニンを吸着する吸着剤、アリザリンシアニングリーンを吸着する吸着剤、リゾチームを吸着する吸着剤、アルブミンを吸着する吸着剤、数平均分子量が１×１０3乃至１×１０4の有機物（例えば、有機分子、若しくは、蛋白質）を吸着する吸着剤を挙げることができる。あるいは又、本発明における多孔質炭素材料を、血液浄化カラム用の充填剤（吸収剤）として用いることができる。更には、例えば、花粉症対策マスクといった各種のマスクにおける吸着剤に、本発明における多孔質炭素材料を適用することができ、例えば、蛋白質を吸着することができる。即ち、本発明のマスクは、本発明における多孔質炭素材料から成る吸着剤を備えている形態とすることができる。あるいは又、吸着シートに本発明における多孔質炭素材料を適用することができる。即ち、本発明の吸着シートは、本発明における多孔質炭素材料から成るシート状部材、並びに、シート状部材を支持する支持部材から成る形態とすることができる。あるいは又、本発明における多孔質炭素材料を、水を浄化する水浄化用吸着剤に用いることもできる。尚、本発明における多孔質炭素材料の表面に対して、化学処理又は分子修飾を行ってもよい。化学処理として、例えば、硝酸処理により表面にカルボキシ基を生成させる処理を挙げることができる。また、水蒸気、酸素、アルカリ等による賦活処理と同様の処理を行うことにより、多孔質炭素材料の表面に水酸基、カルボキシ基、ケトン基、エステル基等、種々の官能基を生成させることもできる。更には、多孔質炭素材料と反応可能な水酸基、カルボキシ基、アミノ基等を有する化学種又は蛋白質とを化学反応させることでも、分子修飾が可能である。